(57)【特許請求の範囲】
【請求項１】
ハウジングの上壁と下壁との間の空間で平型導体のための受入部を形成し、端子の接触部が該受入部にて上記平型導体と接触する位置に配列されており、端子の配列方向両端側で端子に並んで上方に向く係止突起が設けられていて、上記配列方向で係止突起に対応する位置に被係止部を有する平型導体が上記受入部へ挿入された際に、該平型導体の後方への抜出方向で上記被係止部の後縁と係止して平型導体の抜出を防止する平型導体用電気コネクタにおいて、ハウジングの上壁は、上記端子の配列方向及び前後方向で上記係止突起の位置を含む範囲にわたり、後端から前方に向けて、上記上壁の厚み方向に貫通して切り欠かれた切欠部が形成されていて、上記平型導体の被係止部が上記係止突起上に位置する状態で、上記切欠部が該被係止部の上方への撓みを許容しており、該切欠部は、端子の配列方向での内側縁が前方に向け配列方向で外側へ傾斜していることを特徴とする平型導体用電気コネクタ。
【請求項２】
係止突起は、ハウジングに取り付けられた金具に設けられていることとする請求項１に記載の平型導体用電気コネクタ。
【請求項３】
係止突起は、ハウジングの下壁の一部で形成されていることとする請求項１に記載の平型導体用電気コネクタ。
【請求項４】
切欠部は、端子の配列方向での内側縁における下壁に対面する面が後端に向け該下壁から離れて行くテーパ面を有していることとする請求項１に記載の平型導体用電気コネクタ。
【請求項５】
係止突起は上壁との間の間隔が該平型導体の当接部分の厚み寸法よりも小とする位置にあることとする請求項１ないし請求項３のうちの一つに記載の平型導体用電気コネクタ。
【請求項６】
切欠部は前方に向けて狭まるＶ字状をなしていることとする請求項１に記載の平型導体用電気コネクタ。
【請求項７】
コネクタは、可動に支持された加圧部材を有し、該加圧部材の移動により端子の一部を加圧して該端子の接触部での平型導体に対しての弾圧力を増大せしめることとする請求項１に記載の平型導体用電気コネクタ。
【発明の詳細な説明】
【技術分野】
【０００１】
本発明は平型導体用電気コネクタに関する。
【背景技術】
【０００２】
平型導体としては、フレキシブル基板（ＦＰＣ）、フラットケーブル等が知られている。かかる平型導体は、回路基板に取り付けられた電気コネクタに接続されることが多い。このような平型導体が接続されるコネクタとしては、例えば特許文献１に開示されているコネクタがある。
【０００３】
この特許文献１のコネクタにあっては、ハウジングは、フラットケーブルの挿入方向から見て、正面に形成された横長な開口部が上記挿入方向に延びて、上記フラットケーブルの挿入のための空洞部を形成している。該空洞部の上記挿入方向で奥部の底面には、フラットケーブルの幅方向両側端に対応する位置に突起部が設けられていて、フラットケーブルの所定位置までの挿入状態で、該フラットケーブルの側縁の切欠部に係止するようになっている。
【０００４】
上記空洞部は、上記幅方向両端で上記開口部の上内面がもち上がった傾斜面をなし、奥部に向けてその傾斜が減じられている。
【０００５】
フラットケーブルの挿入に際しては、片手で該フラットケーブルの前端両側端を圧するようにして摘んで前端部を上向きに凹状となるように撓ませ、該前端部が上記開口部の上内面に沿うようにして、上記空洞部内に挿入する。この上内面の幅方向両端での傾斜は、奥部に向け減じられているので、フラットケーブルは挿入が進むにつれて撓みが小さくなって平らに近づき、フラットケーブルの切欠部が上記突起部を越えた位置で上方から上記突起部に係止するようになる。
【特許文献１】実開昭６１−１０９０８３
【発明の開示】
【発明が解決しようとする課題】
【０００６】
しかしながら、このような特許文献１のコネクタにあっては、コネクタの小型化そして操作の簡便性の点で、さらなる改善の余地があった。
【０００７】
先ず、ハウジングに形成された空洞部の上側、すなわち上壁は上記開口部の幅方向両端での上内面における傾斜を形成しつつも、ハウジングはその上方部分に厚みを残しているので、ハウジングは高さ方向での小型化が図れない。この種のコネクタにあっては高さ方向での小型化が強く求められており、この点で課題を残している。
【０００８】
次に、フラットケーブルは指で摘むことにより上向きに凹状をなすように撓ませなければならない。これは、撓ませる手間がかかるということと、これに加えて、その撓みが上記開口部の上内面にほぼ一致するようにしなければならないということを意味している。このように、操作が簡便であるとは言い難い。
【０００９】
本発明は、このような事情に鑑み、コネクタの高さ方向での小型化に貢献でき、操作がきわめて簡便な平型導体用電気コネクタを提供することを課題としている。
【課題を解決するための手段】
【００１０】
本発明に係る平型導体用電気コネクタは、ハウジングの上壁と下壁との間の空間で平型導体のための受入部を形成し、端子の接触部が該受入部にて上記平型導体と接触する位置に配列されており、端子の配列方向両端側で端子に並んで上方に向く係止突起が設けられていて、上記配列方向で係止突起に対応する位置に被係止部を有する平型導体が上記受入部へ挿入された際に、該平型導体の後方への抜出方向で上記被係止部の後縁と係止して平型導体の抜出を防止する。
【００１１】
かかる平型導体用電気コネクタにおいて、本発明では、ハウジングの上壁は、上記端子の配列方向及び前後方向で上記係止突起の位置を含む範囲にわたり、後端から前方に向けて、上記上壁の厚み方向に貫通して切り欠かれた切欠部が形成されていて、上記平型導体の被係止部が上記係止突起上に位置する状態で、上記切欠部が該被係止部の上方への撓みを許容しており、該切欠部は、端子の配列方向での内側縁が前方に向け配列方向で外側へ傾斜していることを特徴としている。
【００１２】
このような構成の本発明のコネクタに対して、被係止部を有する平型導体がハウジングの受入部へ挿入される。挿入初期において、平型導体の被係止部が上記係止突起の上に到達すると、この被係止部が該係止突起により上方へ押し上げられる。係止突起が位置する領域では、ハウジングの上壁は切欠部が形成されているので、上記被係止部及びその周辺がこの切欠部の範囲内で上方に撓み可能となる。
【００１３】
この状態で平型導体の挿入が進行すると、平型導体は、挿入過程において、撓み部分がその上面で上記切欠部の傾斜せる内側縁に当接して案内されるので、撓み部分が下方に力を受けて次第にその撓み量を減じて平坦な形に近づく。また、平型導体の被係止部は上記係止突起を乗り越えて前方へ進み、所定の挿入位置へもたらされる。かかる所定の挿入位置では、上記被係止部は最早係止突起の位置にないので、上記撓みから解放され平坦な形に戻る。したがって、平型導体が抜出方向、すなわち後方へ引かれても被係止部が係止突起と係止し抜出が阻止される。
【００１４】
かくして、本発明では、上記被係止部での撓みが、切欠部すなわち上壁の厚み方向範囲を利用して行われる。
【００１５】
本発明において、係止突起は、ハウジングに取り付けられた金具に設けられていることとしてもよいし、ハウジングの下壁の一部で形成されていることとしてもよい。金具に設けられていることとすれば、係止突起は係止面積が小さくとも十分に強度を確保できるし、ハウジングの下壁の一部として形成されていることとすれば、金具が不要なので、部品点数の低減が図られる。
【００１７】
さらに、本発明において、切欠部は、端子の配列方向での内側縁における下壁に対面する面が後端に向け該下壁から離れて行くテーパ面を有していることが好ましい。このテーパ面は上記後端で受入部の開口を大きく形成するので、平型導体は挿入が楽に行われかつ上記平型導体の上面がテーパ面により案内されて挿入が進行する。
【００１８】
本発明において、係止突起は上壁との間の間隔が該平型導体の当接部分の厚み寸法よりも小とする位置にあるようにすることができ、そうすることにより、被係止部が係止突起を乗り越えた後は、平型導体が上下方向、すなわち厚み方向にブレによって移動しても、上記係止突起との係止位置から外れることはない。
【００１９】
本発明において、切欠部は前方に向けて狭まるＶ字状をなしているようにすることができる。こうすることにより、平型導体の撓み部分は、Ｖ字状の切欠部の端子配列方向内側縁での案内が奥部に至るまで連続的に行われる。
【００２０】
本発明のコネクタは、可動に支持された加圧部材を有し、該加圧部材の移動により端子の一部を加圧して該端子の接触部での平型導体に対しての弾圧力を増大せしめるようにすることができる。
【００２１】
この場合、平型導体の所定位置までの挿入後、加圧部材を操作して端子の接触部での平型導体に対しての弾圧力を増大せしめることにより、接触部での平型導体との接触のさらなる確実化、したがって平型導体の挿入方向でのズレや抜けの防止の効果をより向上せしめる。
【発明の効果】
【００２２】
本発明は、以上のように、平型導体の幅方向両側端に設けられた被係止部に対して係止する係止突起に対応する範囲に、上壁の厚み方向に貫通した切欠部を形成することとしたので、コネクタが高さ方向に小型化されていても、平型導体の上記受入部への挿入に際して、被係止部が係止突起上に位置したときに被係止部は切欠部内の空間で上方に十分に撓める。この点で、コネクタの小型化に貢献する。また、平型導体の挿入の際、平型導体に何ら撓みを与えることなく、平坦なまま挿入するだけで、自動的に被係止部が撓むので操作性にも優れている。
【００２３】
さらには、所定位置までの挿入後は、平型導体は自動的に撓みから解放されて平坦な状態に戻って係止突起との係止位置にくるので、抜け防止のための係止が確実に行われる。
【発明を実施するための最良の形態】
【００２４】
以下、添付図面にもとづき、本発明の一実施形態を説明する。
【００２５】
図１（Ａ），（Ｂ）に示される本実施形態の平型導体用電気コネクタは、図示されていない回路基板上に配されるようになっており、図１（Ａ）はそのコネクタの外観及び挿入前の平型導体を上方から見た斜視図であり、図１（Ｂ）は図２に示される断面図が図１におけるどこで断面されたかを示す部分拡大平面図である。
【００２６】
図１（Ａ）のコネクタは、ハウジング１０と、該ハウジング１０により交互に配列保持されている二種の端子２０，３０と、端子の配列方向両端の端子に近接して設けられた金具４０と、ハウジング１０により回動自在に支持されている加圧部材５０とを有している。該加圧部材５０は、ハウジング１０の前端部側で開位置と閉位置との間を回動可能であり、図１（Ａ）にあっては開位置の状態にある。また、ハウジング１０は後端側に受入部の開口を有しており、その後方に、挿入前の平型導体Ｐが位置している。
【００２７】
平型導体Ｐは、図１（Ａ）にて矢印Ａ方向（前方）に、上記コネクタ１へ挿入されて接続される。該平型導体Ｐは、上記矢印Ａ方向に対して直角な幅方向で定間隔をもって複数の接続回路部（図示を省略）が上面に形成されている。この接続回路部は、上面だけでなく、上下両面に形成されていることも、あるいは下面だけに形成されていることもある。
【００２８】
上記平型導体Ｐは、前端側で幅寸法が若干小さくなっており、側方に開いたくびれ部Ｐ１を形成することにより、前端との間に側方に突出した形の被係止部たる耳部Ｐ２が設けられている。
【００２９】
図２ないし図４は、上記コネクタの断面図である。図２（Ａ）〜（Ｃ）は図１（Ｂ）における三つの異なる位置IIＡ ，IIＢ，IIＣでの断面、すなわち、端子配列方向で、図２（Ａ）は配列範囲における一種の端子２０のIIＡ位置、図２（Ｃ）は金具４０のIIＣ位置、図２（Ｂ）は上記端子２０と該金具４０の間のIIＢ位置でのそれぞれの断面を示す。図３（Ａ）〜（Ｃ ）は金具４０における断面図（端子２０，３０は省略）であるが、挿入される平型導体Ｐの各位置で示されていて、図３（Ａ）はハウジングへの挿入前、図３（Ｂ）は挿入途中、図３（Ｃ）は挿入完了の状態をそれぞれ示している。図２（Ａ）〜（Ｃ）そして図３（Ａ）〜（Ｃ）のすべての図は、加圧部材５０が開位置にあるときを示している。図４は上記一種の端子２０の位置での断面図で、加圧部材５０が図４（Ａ）では開位置、図４（Ｂ）で閉位置にある状態を示している。
【００３０】
電気絶縁材料をモールド成形して作られたハウジング１０は、上壁１１と下壁１２とを有し、両壁は幅方向（図１にて左右方向、図２〜４にて紙面に対して直角方向）両端にて側壁１３により連結されていて、一つの部材として作られている。
【００３１】
上壁１１と下壁１２の間の空間は後方から平型導体Ｐを受け入れる受入部１０Ａを形成しており、この空間は図２も見られるように、前後方向（図２（Ａ），（Ｃ）にて、前方が右方、後方が左方）に貫通して形成されており、上記上壁１１と下壁１２は互いの対向面に端子２０，３０そして金具４０の保持のための端子溝１４，１５そして金具溝１６，１７が、ハウジングの幅方向で所定間隔をもって、前後方向に延びるように形成されている。
【００３２】
本実施形態においては、端子２０，３０そして金具４０は、金属板の平坦面をそのまま維持して作られており、したがって上記端子溝１４，１５そして金具溝１６，１７のそれぞれの溝は、上記金属板の厚さにほぼ等しい溝幅に作られている。
【００３３】
一種の端子２０は、図２（Ａ）に見られるように、横Ｈ形をなしており、上腕部２１と下腕部２２とがそれらの長手方向中間位置で連結部２３で連結されている。
【００３４】
上腕部２１は、連結部２３より後方が接触腕部２４をなしその下縁に突起状の接触部２４Ａを有し、連結部２３より前方が被圧腕部２５をなしその前端側下縁に若干没した被圧部２５Ａを形成している。この上腕部２１は、上縁が後方に向けて端子溝１４の溝底から浮いており、被圧部２５Ａにて上方への力を後述の加圧部材のカム部から受けると上記被圧腕部２５は前端が上方にもち上がるように傾斜変位し、連結部２３を梃子の支点として、上記接触腕部２４をその後端が下方に向うように傾斜変位せしめる。上記上腕部の被圧腕部２５には、その長手方向中間位置に下方に突出せる位置規制部２５Ｂが設けられていて、後述の加圧部材の前方から後方に向けた組込みに際し、該加圧部材のカム部の所定位置よりも後方に移動してしまうことを防止している。
【００３５】
下腕部２２は、連結部２３より後方が接続腕部２６をなし、その長手方向中間部に突起状の接圧部２６Ａを、そして後端部に接続部２７を有している。該接続部２７はハウジング外でハウジングの底面とほぼ同一もしくは若干下方に位置している。さらに上記接続部２７には右方に開いた固定溝２７Ａが形成されている。
【００３６】
また、上記下腕部２２は、連結部２３より前方部分の上縁でカム支持部２８を形成している。該カム支持部２８は、加圧部材のカム部を回動支持する部分を形成する。
【００３７】
このように形成された端子２０は、ハウジング１０へ後方から前方に向け挿入され、上腕部２１が上壁１１の端子溝１４内へ、そして下腕部２２が下壁１２の端子溝１５へ納められ、端子溝１４そして端子溝１５のそれぞれの溝底同士間での圧入力で保持される。また、下腕部２２の接続部２７に形成された固定溝２７Ａが下壁１２の後端縁に嵌まり、ここでも端子は保持される。
【００３８】
他種の端子３０は、端子の配列範囲で、上記端子２０と交互に配列されている。
【００３９】
この端子３０は、上記端子２０では接続部２７そして固定溝２７Ａが該端子２０の下腕部２２の後端側に設けられているのに対し、これらに対応する接続部３７そして固定溝が下腕部３２の前端側に設けられている点で上記端子２０と相違している外は、上記端子２０と同じ形態をなしている。したがって、端子３０は、ハウジングの端子溝（図示せず）に対して、前方から後方に向けて納められ保持される。また、上記固定溝は、ハウジング下壁１２の前端縁に嵌まり、ここでも端子の保持に供する。
【００４０】
上記二種の端子２０，３０が交互に配された端子配列範囲の両外側位置には、端子と平行に金具４０が配設されている。この金具４０も、端子２０，３０と同様に、金属板の平坦面をそのまま維持して作られている。
【００４１】
金具４０は、図２（Ｃ）において、前後方向のほぼ中央位置から前方では上壁１１と下壁１２にそれぞれ形成された金具溝１６，１７で保持される被保持部４１と、該被保持部４１より後方に位置して下壁１２の金具溝１７により保持される固定腕部４２とを有している。該固定腕部４２の後端側には、上方に突出する係止突起４３Ｂが設けられ、その下方には、固定部４３が設けられていて、この固定部４３にハウジングの下壁１２の後端縁に嵌まる固定溝４３Ａが形成されている。上記被保持部４１の上側前端からは前方へ支持腕４４が延出していて、該支持腕４４と上記下壁１２との間に加圧部材５０の軸部を収容する空間を形成している。かかる金具４０は、後方から前方に向けハウジングへ挿入され、上記被保持部４１が上壁１１の金具溝１６と下壁１２の金具溝１７に入って圧入保持され、固定腕部４２は上記金具溝１７に納められ上記係止突起４３Ｂが該金具溝１７から上方へ大きく突出する。この係止突起４３Ｂは、前縁が垂立し、後縁がテーパ状をなしている。この係止突起４３Ｂの下方の固定部４３に形成された固定溝４３Ａが上記下壁１２の後端縁に嵌まり、固定に供する。
【００４２】
ハウジング１０の上壁１１は、図１（Ａ）に見られるように、前端縁側が加圧部材５０のための空間を形成するために幅方向全域にわたって切り取られており、また、後端縁側では、幅方向両端側に、後端縁から前方に向け切欠部１８が形成されている。該切欠部１８は、ハウジングの上方から見たときに、図１からも判るように、幅方向外側、すなわち側壁１３寄りの側が前方にまっすぐに延びる直線縁１８Ａ、幅方向内側が前方に向け外側に傾く傾斜縁１８Ｂ、そして前端が上記幅方向に延びる前端縁１８Ｃにより形成されている。該切欠部１８は、上壁１１の厚み方向で完全に貫通して切り欠かれており、その範囲は上記幅方向そして前後方向で上記金具４０の係止突起４３Ｂの位置を含むように設定されている。
【００４３】
上記上壁１１は、幅方向で上記傾斜縁１８Ｂの位置にて、図２（Ｂ）に見られるように、後端内面にテーパ面１８Ｄが形成されている。また、上記上壁１１は上記切欠部１８の前端縁１８Ｃの位置よりも前方に延びる平型導体進入溝１９が形成されているが、上記切欠部１８からこの平型導体進入溝１９への移行部でも、上壁１１の内面には、前方に向け下向きのテーパ面１９Ｃが形成されている。
【００４４】
加圧部材５０は、ハウジングと同様の電気絶縁材で作られていて、レバー状をなし端子の配列方向に延びている。該加圧部材５０は、平型導体Ｐの挿入を可能とする開位置と、平型導体に対して端子２０の接触部２４Ａを圧接せしめる閉位置との間を回動可能に支持されている。図２は、加圧部材が開位置にある状態で示されている。
【００４５】
図２（Ａ）に示されるように加圧部材５０は、ハウジング１０の上壁１１の前端縁側で大きく切り取られた空間に位置しており、コネクタの幅方向両端に形成された軸部（図示せず）と、端子２０に対応する位置に設けられたカム部５１で回動自在に支持されている。該カム部５１は、図２（Ａ）にて、加圧部材５０下端部に形成した溝部５２で、該溝部の内面同士を結ぶように島状に設けられている。この溝部５２は、  該カム部５１の上下両端で、端子２０の上腕部２１の被圧腕部２５と、下腕部２２のカム支持部２８とをそれぞれ貫通せしめる空間を形成している。
【００４６】
カム部５１は、図２（Ａ）の開位置で、横長な断面形状をなしていて、高さ方向寸法が上記被圧腕部２５の被圧部２５Ａとカム支持部２８との距離よりも小さく、そして横方向寸法が該距離よりも大きく設定されている。
【００４７】
上記カム部５１は、図２（Ａ）において左側上下隅部は丸味をもって形成され、右側上下隅部は角状となっている。かかるカム部５１は、端子３０に対応する位置においても、同様に形成されている。
【００４８】
上記加圧部材５０は、コネクタの幅方向で、両側端子の端子の外側の金具４０に対応する位置にも溝部５３が形成され、ここに上記カム部５１に類する島状の支持部５４が設けられている。この支持部５４は、図２（Ａ）において、縦長四角形をなし、上下方向寸法が、金具４０の支持腕４４の下縁と、ハウジング１０の下壁１２の上面との間の距離とほぼ等しく、横方向寸法はこれよりも小さくなっている。この支持部５４の左側上下隅部は丸味をもって形成され、右側上下隅部は角状となっている。上記溝部５３では、支持部５５の上縁に沿って金具の支持腕４４の貫通を許容している。
【００４９】
このような加圧部材５０は、図２（Ａ）にて、上端側が操作部５５をなしていて、ハウジング１０の上壁１１よりも上方に突出している。
【００５０】
このような本実施形態のコネクタは、次の要領で使用される。
【００５１】
（１）先ず、コネクタ１を回路基板（図示せず）へ取り付けて端子２０，３０を該回路基板の対応回路部に接続させる。端子２０，３０は、それらの接続部２７，３７がそれぞれ半田により上記対応回路部と電気的に接続される。また、金具４０はその固定部が回路基板の対応部に半田固定される。
【００５２】
（２）加圧部材５０は、操作部５５が上方に向く開位置にもたらされ、かかる状態では、ハウジング受入部１０Ａにおける端子の上腕部２１と下腕部２２との間が、自由状態で平型導体Ｐを楽に受入可能となっている。端子３０においても、同様に自由状態となっていて、平型導体Ｐを楽に受入可能となっている。
【００５３】
（３）次に、図１そして図３（Ａ）に見られるように、平型導体Ｐを矢印Ａ方向に進め、その前端部から上記受入部１０Ａ内へ挿入する。上記幅方向で端子２０，３０の位置では、平型導体Ｐは、端子の上腕部そして下腕部の間に楽に挿入され得るが、金具４０の位置では、該金具４０の係止突起４３Ｂが大きく突出しているために、この位置では、図３（Ｂ）のごとく平型導体Ｐはその被係止部たる耳部Ｐ２が係止突起４３Ｂのテーパ後縁から該係止突起４３Ｂの上に乗り上げて大きく上方へ撓む。この耳部Ｐ２は、ハウジング１０の上壁１１に形成された切欠部１８の空間で撓みが十分に許容され、かくして平型導体Ｐは耳部Ｐ２が上方に撓んだ状態で上記係止突起４３Ｂを乗り上げつつ前方へ挿入され、上記耳部Ｐ２が上記係止突起４３Ｂを乗り越えると、図３（Ｃ）に見られるごとく、その撓みから解放されて元の平坦な形となって平型導体Ｐの前縁部がハウジング１０の平型導体進入溝１９内へ進入し、ここで支持される。かくして、平型導体Ｐは後方へ引かれても、被係止部たる耳部Ｐ２の後縁が上記係止突起４３Ｂの前縁に係止して抜出が阻止される。
【００５４】
（４）上記耳部Ｐ２は、受入部１０Ａの挿入開始には、該受入部１０Ａのテーパ面１８Ｄで挿入が容易になされ、上記耳部Ｐ２が切欠部１８を通過する際には、上方へ撓んだ耳部Ｐ２は、耳部Ｐ２の上面で切欠部１８の傾斜縁１８Ｂに摺接して、また、上壁１１の下面ではそのテーパ面１９Ｃに摺接して、案内されつつ前進し、その前進と共にその撓み状態から平坦状態へ移行されるようにして案内され、平型導体Ｐの前端部が円滑に上記平型導体進入溝１９へ導入される。
【００５５】
（５）このように、耳部Ｐ２が係止突起４３Ｂに係止する状態となった後に、図４（Ａ）における開位置の加圧部材５０を回動操作して図４（Ｂ）の閉位置へもたらす。加圧部材５０のカム部５１は縦長の状態となり、端子２０の被圧部２５Ａを上方に圧して被圧腕部２５を上方へもち上げる。これによって端子２０の上腕部２１は連結部２３を支点として梃子状に弾性変位し、接触腕部２４が下方へ傾斜変位してその接触部２４Ａで平型導体Ｐを下方に圧して、端子２０との接圧を高める。平型導体Ｐが上面に接続回路部が形成されているときには、該接続回路部は上記接触部２４Ａと接触するが、接続回路部が下面に設けられているときには、端子２０の下腕部２２の接圧部２６Ａが接触部として機能する。勿論、上下面に回路接続部が設けられているときには、上記接触部２４Ａと接圧部２６Ａの両方と接触することができる。このような加圧部材５０による平型導体との接続は、端子３０についても同様になされる。
【００５６】
（６）本実施形態では、このように、平型導体を単に受入部へ挿入するだけで、被係止部たる耳部が係止部に当接して自動的に撓んで、この係止部を乗り越え、乗り越えたときには、上記撓みが自動的に解放されて平坦になり、後方へ外力を受けても、係止部に係止して抜出が確実に阻止される。
【００５７】
（７）このように、加圧部材が閉位置にあるときには、端子の接触部によって平型導体が下方に圧せられているので、該平型導体の被係止部たる耳部が上方に移動できずに、常時係止突起と係止しようとする位置にあるが、平型導体の抜出時には、加圧部材が開位置にあって、接触部が上方に変位しており、平型導体を上方に引き上げるように傾けると、上記被係止部は係止突起から外れ易くなり、後方に引くことにより抜出がなされる。
【００５８】
本発明は、図示した実施形態に限定されず、種々変更が可能である。例えば、係止突起は金具に設けずとも、ハウジングの下壁に設けることも可能である。こうすることにより、金具を不要とするので、部品点数が減ることとなる。その場合、係止突起は、金具に設けられている場合と同等の強度を得るだけの大きさとすることが望まれる。
【００５９】
また、係止突起は、ハウジングの上壁との間隔が平型導体の当接部分、すなわち耳部の厚み寸法よりも小さいことが好ましい。こうすることにより、耳部が係止突起を乗り越えた後は、上下に振れてもこの係止突起から外れることはない。
【００６０】
さらに、切欠部１８は、図１にて二点鎖線で示すように、傾斜縁が奥部まで延びていて、略Ｖ字状をなしていてもよい。こうすることにより、傾斜縁が上記奥部まで平型導体の耳部を確実に案内する。
【００６１】
本発明において、平型導体の被係止部は、図１（Ａ）に図示した形の耳部に限定されず、該平型導体を後方に引いた際に係止突起に係止可能ならば、その形に限定はない。例えば、図１（Ａ）における耳部のすぐ後方にくびれ部Ｐ１を有していなくとも、耳部の後方の側縁が直線状に延びている形でもよい。また、耳部が側縁から直角に突出していなくとも、傾斜して突出していてもよい。
【図面の簡単な説明】
【００６２】
【図１】図１（Ａ）は本発明の一実施形態の平型導体用電気コネクタ及びこれに接続される平型導体を示す斜視図であり、図１（Ｂ）は図２の断面位置を示す部分拡大平面図である。
【図２】図１のコネクタの断面図であり、図２（Ａ）は図１（Ｂ）におけるIIＡ線断面図、図２（Ｂ）はIIＢ線断面図、図２（Ｃ）はIIＣ線断面図を示す。
【図３】図１（Ａ）のコネクタに対しての平型導体の挿入過程を示す、金具位置における断面図であり、図３（Ａ）は挿入前、図３（Ｂ）は挿入途中、図３（Ｃ）は挿入完了時をそれぞれ示す。
【図４】図１（Ａ）のコネクタの平型導体挿入完了時での端子位置における断面図であり、図４（Ａ）は加圧部材が開位置、図４（Ｂ）は閉位置における状態を示す。
【符号の説明】
【００６３】
１  コネクタ                        ２４Ａ  接触部
１０  ハウジング                    ３０  端子
１０Ａ  受入部                      ４０  金具
１１  上壁                          ４３Ｂ  係止突起
１２  下壁                          ５０  加圧部材                          
１８  切欠部                        Ｐ  平型導体
１９Ｃ  テーパ部                    Ｐ２  被係止部（耳部）
２０  端子
【図１】
0004548803.tif 000002
【図２】
0004548803.tif 000003
【図３】
0004548803.tif 000004
【図４】
0004548803.tif 000005